(57)【要約】  容器を安全にするために個々の境界のある容器領域を一緒に形成するために結合された複数のパネル部材から構成されるトートバッグ装置。該パネル部材は、安全な輸送を提供する間、不意の容器接触を制限し、損傷と熱移動を制限する様々な多重パネル設計に結合される。使用中、本実施例は、複数の外側の消費者製品がガタガタする危険なく安定な態様で保管されることができるようにする。
2008517735.tif 000002
【特許請求の範囲】
【請求項１】
少なくとも第一パネルグループと、
第一最初に境界のある受領領域と、その中で前記第一最初に境界のある受領領域にアクセスするための第一開いたアクセス口を形成している第一外周取り付け結合によって外周部に沿って部分的に結合された第一と第二パネルシートを備える前記少なくとも第一パネルグループと、
前記第一と第二パネルシート部材のそれぞれの内部領域を結合して、それによって前記第一パネルグループ内の少なくとも第一と第二境界のある物品受領領域に前記第一最初に境界のある受領領域を形成している少なくとも第一規定取り付け結合と、
少なくとも第ニパネルグループと、
前記第ニ最初に境界のある受領領域と、その中で第ニ最初に境界のある受領領域にアクセスするための第ニ開いたアクセス口を形成している第ニ外周取り付け結合によって外周部に沿って部分的に結合された第三と第四パネルシートを備える前記少なくとも第ニパネルグループと、
前記第三と第四パネルシート部材のそれぞれの内部領域を結合して、それによって前記第ニパネルグループ内の少なくとも第三と第四境界のある物品受領領域に前記第ニ最初に境界のある領域を形成している少なくとも第ニ規定取り付け結合と、
前記第三と前記第四境界のある物品受領領域の前記それぞれの部分を備えた前記第一と前記第ニ境界のある物品受領領域の部分を結合している少なくとも第一と第二結合取り付けから構成され、それによって第一と第二取り付け結合は、可撓性のある態様で第一と第二パネルグループを固定的に結合することを特徴とする多重パックのトート装置。
【請求項２】
前記第一と第二開放アクセス口にそれぞれ遠心に配置された前記各パネルシートのそれぞれの部分上の複数の形のある底部区画と、
各前記少なくとも第一と第二パネルグループの中のそれぞれの前記外周取り付け結合によって結合されたそれぞれの前記パネルシート上の前記形のある底部区画と、
各前記境界のある物品受領領域上の少なくとも一つの前記形のある底部区画から構成され、それによって少なくとも一つの前記境界のある物品受領領域に外側の携帯物品の挿入の期間、前記形のある底部区画と前記それぞれ境界のある物品領域が、前記携帯物品を安全に束ねたり、外側の支持表面を備えた本質的に滑らかな結合を提供したりするために膨らむことを特徴とする請求項第１項記載の多重パックのトート装置。
【請求項３】
前記第一開放アクセス口の反対側にある前記少なくとも第一パネルグループの中に前記第一と第二パネルシートのそれぞれの底部部分を結合している少なくとも第一当て布部材と、
それぞれの第一と第二パネルシートに前記第一当て布部材を固定している少なくとも第一当て布取り付け結合とから構成され、それによって、前記境界のある物品受領領域の一つの外側の携帯物品の挿入の期間、前記当て布と少なくとも一つの前記境界のある物品受領領域が、前記外側の携帯物品を安全に束ねたり、外側の支持表面を備えた本質的に滑らかな結合を提供したりするために膨らむことを特徴とする請求項第１項記載の多重パック装置。
【請求項４】
前記第ニ開放アクセス口の反対側にある前記少なくとも第ニパネルグループの中に前記第三と第四パネルシートに前記第二当て布部材を固定している少なくとも第二当て布取り付け結合とから構成されることを特徴とする請求項第3項記載の多重パックのトート装置。
【請求項５】
布材料、弾性材料と薄膜材料の少なくとも一つを具備する前記パネルシートから構成されることを特徴とする請求項第１項記載の多重パックトート装置。
【請求項６】
各前記パネルシートが弾性材料を具備し、それによって前記第一と第二パネルグループが、弾力性のある握りと、携帯されたり、物品の外側幾何学に即時に適合する挿入された外側物品の保持を可能にすることを特徴とする請求項第６項記載の多重パックのトート装置。
【請求項７】
前記弾性材料は、断熱材であって、それによって、携帯されるべき前記物品からの熱移動が最少化されることを特徴とする請求項第6項記載の多重パックトート装置。
【請求項８】
前記第一パネルグループ中の前記第一と第二パネルシートの一つの上に開口する少なくとも第一ハンドルと、
前記第ニパネルグループ中の前記第三と第四パネルシートの一つの上に開口する少なくとも第ニハンドルから構成され、それによって、前記ハンドル開口部が多重トートパックの即時輸送を可能にすることを特徴とする請求項第1項記載の前記多重パックのトート装置。
【請求項９】
輸送中に前記多重パックトート装置を安全に保証するための携帯機構と、
携帯ハンドル、支持ストラップ、腰ベルトストラップ、肩ストラップ、弾帯ストラップの少なくとも一つからなる前記携帯機構から構成され、それによって、前記少なくとも一つは多重トート装置の即時輸送を可能にすることを特徴とする請求項第１項記載の多重パックトート装置。
【請求項１０】
境界のある物品受領領域に保持される外側輸送物品の不意の開放から前記第一と前記第二開放アクセス口の少なくとも一つに境界をつけるためにそれぞれに関連する前記パネルシートの少なくとも部分を開放できるようにして安全にするための安全機構から構成されることを特徴とする請求項第１項記載の多重パックトート装置。
【請求項１１】
前記安全機構は、留め金密閉、バックル密閉、チャック密閉、ベルクロ密閉と粘着密閉の少なくとも一つであることを特徴とする請求項第１０項記載の多重パックトート装置。
【請求項１２】
少なくとも第三パネルグループと、
第三最初に境界のある受領領域と、その中で前記第三最初に境界のある受領領域にアクセスするための第三開いたアクセス口を形成している第三外周取り付け結合によって外周部に沿って部分的に結合された第五と第二パネルシートを備える少なくとも前記第三パネルグループと、
前記第三と前記第四パネル部材のそれぞれの内部領域を結合して、それによって前記第三パネルグループ内の少なくとも第五と第六境界のある物品受領領域に前記第三最初に境界のある受領領域を形成している少なくとも第三規定取り付け結合と、
前記第五と前記第六の物品受領領域のそれぞれの部分を備えた前記第三と前記第四境界のある物品受領領域の部分を結合している少なくとも第三と第四結合取り付けとから構成され、それによって、前記第三と前記第四取り付け結合が、第二と第三パネルグループを結合し、それによって拡大した多重トート装置を形成することを特徴とする請求項第１項記載の多重パックのトート装置。
【請求項１３】
第一パネルグループと、
第一最初に境界のある受領領域と、その中で、前記第一最初に境界のある受領領域にアクセスするための第一開いたアクセス口を形成している第一外周取り付け結合によって外周部に沿って部分的に結合された少なくとも第一と第二パネルシートを具備する前記第一パネルグループと、
それぞれの間隙を介した内部領域と前記第一と第二パネル部材を結合している少なくとも2つの規定取り付け結合と、それによって、前記第一パネルグループ内に、少なくとも第一、第二と第三境界のある物品受領領域に前記第一最初に境界のある受領領域を形成していて、
前記少なくとも2つの規定取り付け結合から上方向に離れるように突出する前記第一と第二パネルシート上の少なくとも第一携帯開口部から構成され、それによって、前記多重パックトート装置が便利に携帯されることができることを特徴とする多重パックのトート装置。
【請求項１４】
前記第一開放アクセス口にそれぞれ遠心に配置された各前記パネルシートのそれぞれの部分上の複数の形のある底部区画と、
前記第一パネルグループの中のそれぞれの前記外周取り付け結合によって結合されたそれぞれの前記パネルシート上の前記形のある底部区画と、
各前記境界のある物品受領領域上の少なくとも一つの前記形のある底部区画から構成され、それによって少なくとも一つの前記境界のある物品受領領域に外側の携帯物品の挿入の期間、前記形のある底部区画と前記それぞれの境界のある物品領域が、前記携帯物品を安全に束ねたり、外側の支持表面を備えた本質的に滑らかな結合を提供したりするために膨らむことを特徴とする請求項第１3項記載の多重パックトート装置。
【請求項１５】
前記第一開放アクセス口の反対側にある前記少なくとも第一パネルグループの中に前記第一パネルシートのそれぞれの底部部分を結合している少なくとも第一当て布部材と、
それぞれの第一と第二パネルシートに前記第一当て布部材を固定している少なくとも第一当て布取り付け結合とから構成され、それによって、前記境界のある物品受領領域の一つに外側の携帯物品の挿入の期間、前記当て布と少なくとも一つの前記境界のある物品受領領域が、前記外側の携帯物品を安全に束ねたり、外側の支持表面を備えた本質的に滑らかな結合を提供したりするために膨らむことを特徴とする請求項第１3項記載の多重パック装置。
【請求項１６】
布材料、弾性材料と薄膜材料の少なくとも一つを具備する各前記パネルシートから構成されることを特徴とする請求項第１3項記載の多重パックトート装置。
【請求項１７】
境界のある物品受領領域内に保持される外側輸送物品の不意の開放から前記第一開放アクセス口の少なくとも一つに境界をつけるために、それぞれに関連して前記パネルシートの少なくとも部分を開放できるようにして、安全にするための安全機構から構成されることを特徴とする請求項第１6項記載の多重パックトート装置。
【請求項１８】
少なくとも第一パネルグループと、
第一最初に境界のある受領領域と、その中で、前記第一最初に境界のある受領領域にアクセスするための第一開いたアクセス口を形成している第一外周取り付け結合によって外周部に沿って部分的に結合された第一と第二パネルシートを具備する前記少なくとも第一パネルグループと、
前記第一と第二パネルシート部材のそれぞれの内部領域を結合してして、それによって前記第一パネルグループ内の少なくとも第一と第二境界のある物品受領領域に前記第一最初に境界のある受領領域を形成している少なくとも第一規定取り付け結合と、
少なくとも第ニパネルグループと、
前記第ニ最初に境界のある受領領域と、その中で第ニ最初に境界のある受領領域にアクセスするための第ニ開いたアクセス口を形成している第ニ外周取り付け結合によって外周部に沿って部分的に結合された第三と第四パネルシートを備える少なくとも前記第ニパネルグループと、
前記第一と第ニ最初に境界のある受領領域の部分を結合している少なくとも第一結合取り付けから構成され、それによって第一と第二取り付け結合は、可撓性のある態様で第一と第二パネルグループを固定的に結合することを特徴とする多重パックのトート装置。
【請求項１９】
前記第一と第二開放アクセス口にそれぞれ遠心に配置された各前記パネルシートのそれぞれの部分上の複数の形のある底部区画と、
各前記すくなくとも第一と第二パネルグループの中のそれぞれの前記外周取り付け結合によって結合されたそれぞれの前記パネルシート上の前記形のある底部区画と、
各前記境界のある物品受領領域上の少なくとも一つの前記形のある底部区画から構成され、それによって少なくとも一つの前記境界のある物品受領領域に外側の携帯物品の挿入の期間、前記形のある底部区画と前記それぞれの境界のある物品領域が、前記携帯物品を安全に束ねたり、外側の支持表面を備えた本質的に滑らかな結合を提供したりするために膨らむことを特徴とする請求項第１８項記載の多重パックのトート装置。
【請求項２０】
前記第一開放アクセス口の反対側にある前記少なくとも第一パネルグループの中に前記第一パネルシートのそれぞれの底部部分を結合している少なくとも第一当て布部材と、
それぞれの第一と第二パネルシートに前記第一当て布部材を固定している少なくとも第一当て布取り付け結合とから構成され、それによって、前記境界のある物品受領領域の一つに外側の携帯物品の挿入の期間、前記当て布と少なくとも一つの前記境界のある物品受領領域が、前記外側の携帯物品を安全に束ねたり、外側の支持表面を備えた本質的に滑らかな結合を提供したりするために膨らむことを特徴とする請求項第18項記載の多重パック装置。
【請求項２１】
第一パネルグループ中の第一と第二パネルシートの組み立てる段階と、
第一境界のある受領領域を一緒に形成する第一パネルグループの外周部分を縫い合わせる段階とその中で、
第二パネルグループの第三と第四パネルシートを組み立てる段階とその中で、
第ニ境界のある受領領域を一緒に形成する第ニパネルグループの外周部分を縫い合わせる段階とその中で、
第一と第ニパネルシートの周辺部分の規定取り付けを実行することによって前記第一境界のある受領領域中の少なくとも第一と第ニ境界のある物品受領領域を規定する段階と、
第二と第三パネルシートの周辺部分の取り付け規定を実行することによって第ニ境界のある受領領域中の少なくとも第三と第四境界のある物品受領領域を規定する段階と、
前記第三と第四境界のある物品受領領域のそれぞれの部分を備える前記第一と第ニ境界のある物品受領領域部分を結合する少なくとも第一と第二結合取り付けを規定する段階とから構成され、それによって、取り付け結合規定の前記段階が、前記第一と第二パネルグループを結合し、それによって多重パックトート装置を形成するすることを特徴とする多重パックのトート装置の組み立て方法。
【発明の詳細な説明】
【技術分野】
【０００１】
本発明は、保護仕切りのあるポケットの中に入れて複数の容器を輸送するための多数のパネルから形成されたトートバッグに関するものである。より具体的には、本発明は、収納時の大きさを最小にして、熱の移動を最少にしつつ、使用時の傾きと容器損傷の危険を最少にする単純化された丈夫な構造を有する多重パックトート装置に関するものである。
【０００２】
本申請は、2005年1月8日申請の米国暫定特許申請60/642,373廃棄、から優先権を主張するもので、一部継続出願で、2005年1月18日申請米国暫定特許申請60/642,273廃棄、2005年7月7日申請米国暫定特許申請60/697,122廃棄、2005年1月8日申請米国デザイン特許29/220,937、2005年1月8日申請米国暫定特許申請60/642,363、2005年5月25日申請米国デザイン特許29/230,740、2005年5月25日申請米国デザイン特許29/230,685、2005年5月25日申請米国デザイン特許29/230,683と2005年6月10日申請米国デザイン特許29/231,821、であり、各内容は参考文献によって完全に本特許に取り入れられている。
【背景技術】
【０００３】
いろいろな瓶用トートとバッグが関連技術で知られている、しかし全て本発明の価値のある特徴を欠いている。ハミルトンによる多数の開示（米国特許D441,612、米国特許D409,450、米国特許D414,083 ）（集合的にハミルトン）において、上から入れるワイン瓶のバッグは、３つの縫われた片から形成された本体部分と上部開口部側を結合する2つの別々に取り付けられたハンドル部分を有している。本体部分は、外側に膨らむように縫われ、ワイン瓶を緩く含みさらに2つの部分で携帯ハンドルを提供している。別の実施例は、本体部分の外側表面上に小さなチャック式のポケットを有している。ハミルトンは、便利な上から入れるワインバッグを提供しているが、不意の脱落防止、ぐらぐら防止、あるいは製品が容易な安全と輸送中に別の物品に対する安全のための蓋がなくワイン瓶の安全を確保する選択肢を提供していない。ハミルトンは、同じように、多次元の縫い合わせと型切り取りの時に浪費が不可避な多重片を必要として便利な即時構築を最適化できていない。
【０００４】
プルースター（米国特許1,808,375）において、買い物袋が、一緒に縫われた可撓性材料の２つの主片から形成されている。連続した上部片において、携帯ストラップと両面パネルが形成され、底部片は、それらを結合させて支持的底部部材を形成している各側面の底部に縫われている。この実施例で、選択された材料は、単なる織物で、それ故に、熱保存を可能にしたり、ガタガタしたり、破損したりすることから瓶を安全にしたり、バッグの中に瓶を保持するために引き締める組み立てのストラップを提供したり、あるいは傾けることに対する容易な安全性のために別の物品に買い物袋を結合させたり、あるいは輸送を安全にするための取り付け機構を提供したりするための容易な形となっていない。さらなるマイナス点として、底部パネルは、緩く入れられた瓶について手動で買い物袋を「引き上げる」ことなしに平面接触から瓶の底を保護しつつ、束ねたり、瓶を傾ける危険を冒す連続した縫い目を有している。
【０００５】
タイバーグ（米国特許2003/0228072）では、折りたためる瓶容器が、折りたたみ軸を有するベース、上部と底部を備えた瓶用バッグで底部がベースに固定された部分から作られたものが提供されている。携帯ストラップが提供されている。タイバーグでは、構造は、全て同じ直径で輸送中たった一つの容器だけを受け入れるために適合している。
【０００６】
ワッチテル（米国特許5,050,998）では、双数の洗濯バッグが多数の積み重ね可能な分室を提供している。各分室区画は、各分室を個々に開放することが容易にできるようにチャック式封鎖を有している。該洗濯バッグは、一対の調節可能な携帯ストラップと多重のベルトを有し、嵌合点が、洗濯物の搭載を確実にするために提供されている。ワッチテルでは、パネルは、搭載を確実にするためにベルト締めと縛る必要のある非弾性の織物材から構成されている。
【０００７】
プラマー（米国特許2,405,517）を参照して、瓶携帯装置は、容器を受け入れるために提供され、皺を寄せた（襞のある）多くの個々の襞ポケットを含むための布から形成されている。使用中、布は支持表面に平面に開かれ、容器が、襞ポケットに挿入される。布の部分は、ポケットが緩く互いにぶら下がることができるように懸架され、畳まれている。プラマーは、弾力性の保持によって不意の分離に対して容器が安全となっておらず、類似して、個々のガタガタと破損に対して全ての容器を支持するための手段も提供していない。プラマーは、は同時に、温度の保持、取り外しと挿入の容易さ、多重のパネル構造に容易に適合する構造を考慮していない。
【０００８】
カニンガム（米国特許3,812,962）では、プラスティック容器は、上面から容器をかみ合わせるための取り囲みスカートと携帯ハンドルを結合しているカバーの上部を備えている一個構成包装システムからなる。延びる底部を備えるプラスティックの包装が、連続式の引き剥がし巻き上に提供されるが、同様に、多数の本実施例にょって解決されたニーズへの取り組みがなされていない。
【０００９】
ヒンマン（米国特許2,473,429）では、単一布部材が、支持表面上に平面に置かれていて、複数の当て布ポケットが内側表面に沿って縫い合わされている。容器が異なる方向から多重のポケットに挿入されて、単一布部材の反対末端が当て布ポケットに一緒に集められ畳み込まれている。  示されているように、布部材上の連続した張力のみが、不意の分離と破損を予防する近傍位置にポケットを保持している。
【００１０】
上記のように、以下の利点の一つ以上を提供するトート装置へのニーズがある。
【００１１】
１．変更可能な容器のサイズ、消費者の嗜好に合ったストラップとの融合、チャック、留め金、容器開口部とその他の項目のために適合できる数と形の容器区画に製造上変更できるような容易に適合できる構造 
２．安全な方法で大量の数の容器を安全に輸送するために容易に適合された簡単な構造で消費者の要求に依存して2つの容器から多重容器への方向へ変更できる多重容器 
３．トート容器からの熱移動を最少にするための選択肢としての温度受容能力 
４．トート容器を弾力的に束ねて容器間のガタガタとチャリンという音を最少化できる能力、ささらに支持表面上でトートデバイスが安定であること確認するための容器を用いること 
５．簡単な横にして平面な構造あるいは小型化輸送のために折ることができるようになっている容易に折りたたむことのできる底部宛布を備えている、輸送中にトート装置の適合的小型化が可能な構造 
６．容易に小型化されて、保管されるが、平面的表面で消費者容器の直立安定を可能にする支持的容器設計
従って、非使用中平面になり、容器を安全に収容する本質的な数珠つなぎにしたり、あるいは支持表面上に設置する前に容器を「引き上げる」ことをしたりすることなく平面になる底部を提供する便利に構成され、好ましくは断熱的なトート容器に対するニーズが存在する。さらに、幅広いいろいろな消費者の要求を解決するために多重パネル設計から容易に適用される構造を有するトート容器に対するニーズがある。
【発明の開示】
【発明が解決しようとする課題】
【００１２】
上記で広く説明されたように、本発明は、本発明の別の実施例によって、容器に優れた保護と容易な輸送を可能にする単純で強い構造を有するトートバッグを提案することによって上記ニーズの少なくとも一つに対応することを目的としている。
【００１３】
本発明のもう一つの別の実施例は、非使用中容易に小型化される保温能力を有する材料から形成されるトート装置を提供することを目的としている。
【００１４】
本発明のもう一つの別の実施例は、単一あるいはそれ自身の上に畳まれた材料の連続片からなる構造に容易に適合される構造を有するトートバッグを提供することを目的としている。
【００１５】
本発明のもう一つの別の実施例は、パネルの形とサイズを変更することによって容器収容能力を変えることに容易に適応されるデザインを提供することを目的としている。
【００１６】
本発明のもう一つの別の実施例は、充たされたトートバッグが、ガタガタの危険を最少にして、個々の容器間の接触を防止ししつつ直立できるようにする安全な底部密閉手段を備えるトートバッグを提供することを目的としている。
【００１７】
本発明のもう一つの別の実施例は、製品が、中身を安全にして、ハンドル或いはストラップによって携帯されあるいは旅行中に体に安定化できるトートバッグ製品を提供することを目的としている。
【００１８】
本発明は、複数の部分的に境界のある容器受領体を提供する材料の多重パネルから形成されるトートバッグ装置に関する。
【００１９】
本発明は、容器を安全に保つために個々の境界のある容器領域を形成している一緒に結合された複数のパネル部材を備えるトートバッグ装置に関する。該パネル部材は、安全な輸送を提供しつつ、不意の容器接触を制限し、損傷と熱移動を制限する多重パネル設計を変えるようになっている。使用中、本実施例は、複数の外側の消費者製品ががたがたする危険が無く安定な態様で保管されることを可能にしている。
【課題を解決するための手段】
【００２０】
本発明の一つの別の実施例に従って、少なくとも第一パネルグループと、第一最初に境界のある受領領域と、その中で第一最初に境界のある受領領域にアクセスするための第一開いたアクセス口を形成している第一外周取り付け結合によって外周部に沿って部分的に結合された第一と第二パネルシートを備える少なくとも第一パネルグループと、第一と第二パネル部材のそれぞれの内部領域を結合し、それによって第一パネルグループ内の少なくとも第一と第二境界のある物品受領領域に第一最初に境界のある受領領域を形成している少なくとも第一規定取り付け結合と、少なくとも第ニパネルグループと、第ニ最初に境界のある受領領域と、その中で第ニ最初に境界のある受領領域にアクセスするための第ニ開いたアクセス口を形成している第ニ外周取り付け結合によって外周部に沿って部分的に結合された第三と第四パネルシートを備える少なくとも第ニパネルグループと、第三と第四パネル部材のそれぞれの内部領域を結合している少なくとも第ニ規定取り付け結合と、それによって第ニパネルグループ内の少なくとも第三と第四境界のある物品受領領域に第ニ最初に境界のある領域を形成している、第三と第四境界のある物品受領領域のそれぞれの部分を備えた第一と第ニ境界のある物品受領領域の部分を結合している少なくとも第一と第二結合取り付けから構成され、それによって第一と第二取り付け結合は、可撓性のある態様で第一と第二パネルグループを固定的に結合することを特徴とする多重パックのトート装置が提供される。
【００２１】
本発明のもう一つの別の実施例に従って、第一と第二開放アクセス口にそれぞれ遠心に配置された各パネルシートの各部分上の複数の形のある底部区画と、すくなくとも各第一と第二パネルグループの中の各外周取り付け結合によって結合されたそれぞれのパネルシート上の形のある底部区画と、各境界のある物品受領領域上の少なくとも一つの形のある底部区画から構成され、それによって少なくとも一つの境界のある物品受領領域に外側の携帯物品の挿入の期間、形のある底部区画とそれぞれの境界のある物品領域が、携帯物品を安全に束ねたり、外側の支持表面を備えた本質的に滑らかな結合を提供したりするために膨らむことを特徴とする多重パックのトート装置が提供される。
【００２２】
本発明のもう一つの別の実施例に従って、第一開放アクセス口の反対側にある少なくとも第一パネルグループの中に第一と第二パネルシートの各底部部分を結合している少なくとも第一当て布部材と、各第一と第二パネルシートに第一当て布部材を固定している少なくとも第一当て布取り付け結合とから構成され、それによって境界のある物品受領領域の一つの中に外側の携帯物品の挿入の期間、該当て布と少なくとも一つの境界のある物品受領領域が、外側の携帯物品を安全に束ねたり、外側の支持表面を備えた本質的に滑らかな結合を提供したりするために膨らむことを特徴とする多重パックのトート装置が提供される。
【００２３】
本発明のもう一つの別の実施例に従って、第ニ開放アクセス口の反対側にある少なくとも第ニパネルグループの中に第三と第四パネルシートに第二当て布部材を固定している少なくとも第二当て布取り付け結合とから構成されることを特徴とする多重パックのトート装置が提供される。
【００２４】
本発明のもう一つの別の実施例に従って、布材料、弾性材料と薄膜材料の少なくとも一つを具備するパネルシートから構成されることを特徴とする多重パックのトート装置が提供される。
【００２５】
本発明のもう一つの別の実施例に従って、各パネルシートが弾性材料を具備し、それによって第一と第二パネルグループが、弾力性のある握りと、携帯され、物品の外側幾何学に即時に適合する挿入された外側物品の保持を可能にすることを特徴とする多重パックのトート装置が提供される。
【００２６】
本発明のもう一つの別の実施例に従って、弾性材料は、断熱材であって、それによって、携帯されるべき物品からの熱移動が最少化されることを特徴とする多重パックのトート装置が提供される。
【００２７】
本発明のもう一つの別の実施例に従って、第一パネルグループ中の第一と第二パネルシートの一つの上に開口する少なくとも第一ハンドルと、第ニパネルグループ中の第三と第四パネルシートの一つの上に開口する少なくとも第ニハンドルから構成され、それによって、ハンドル開口部が多重トートパックの即時輸送を可能にすることを特徴とする多重パックのトート装置が提供される。
【００２８】
本発明のもう一つの別の実施例に従って、輸送中に多重パックのトート装置を安全に保証するための携帯機構と、携帯ハンドル、支持ストラップ、腰ベルトストラップ、肩ストラップ、弾帯ストラップの少なくとも一つから構成され、それによって、少なくとも一つは多重トート装置の即時輸送を可能にすることを特徴とする多重パックのトート装置が提供される。
【００２９】
本発明のもう一つの別の実施例に従って、境界のある物品受領領域内に保持される外側輸送物品の不意の開放から第一と第二開放アクセス口の少なくとも一つに境界を付けるためにそれぞれに関連するパネルシートの少なくとも部分を開放できるようにして安全にするための安全機構から構成されることを特徴とする多重パックのトート装置が提供される。
【００３０】
本発明のもう一つの別の実施例に従って、安全機構は、留め金密閉、バックル密閉、チャック密閉、ベルクロ密閉と粘着密閉の少なくとも一つであることを特徴とする多重パックのトート装置が提供される。
【００３１】
本発明のもう一つの別の実施例に従って、少なくとも第三パネルグループと、その中で第三最初に境界のある受領領域と第三最初に境界のある受領領域にアクセスするための第三開いたアクセス口を形成している第三外周取り付け結合によって外周部に沿って部分的に結合された第五と第二パネルシートを備える少なくとも第三パネルグループと、第三と第四パネル部材の各内部領域を結合して、それによって第三パネルグループ内の少なくとも第五と第六の境界のある物品受領領域に第三最初に境界のある受領領域を形成している少なくとも第三規定取り付け結合と、第五と第六の物品受領領域の各部分を備えた第三と第四境界のある物品受領領域の部分を結合している少なくとも第三と第四結合取り付けとから構成され、それによって、第三と第四取り付け結合がそれによって拡大した多重トート装置を形成する第二と第三パネルグループを結合することを特徴とする多重パックのトート装置が提供される。
【００３２】
本発明のもう一つの別の実施例に従って、境界のある物品受領領域に保持される外側輸送物品の不意の開放から第一開放アクセス口の少なくとも一つに境界をつけるためにそれぞれに関連するパネルシートの少なくとも部分を開放できるようにして安全にするための安全機構から構成されることを特徴とする多重パックのトート装置が提供される。
【００３３】
本発明のもう一つの別の実施例に従って、第一パネルグループ中の第一と第二パネルシートを組み立てる段階と、その中で第一境界のある受領領域を一緒に形成する第一パネルグループの外周部分を縫い合わせる段階と、第二パネルグループの第三と第四パネルシートを組み立てる段階と、その中で第ニ境界のある受領領域を一緒に形成する第ニパネルグループの外周部分を縫い合わせる段階と、その中で第一と第ニパネルシートの周辺部分の取り付け規定を実行することによって第一境界のある受領領域中の少なくとも第一と第ニ境界のある物品受領領域を規定する段階と、第二と第三パネルシートの周辺部分の取り付け規定を実行することによって第ニ境界のある受領領域中の少なくとも第三と第四境界のある物品受領領域を規定する段階と、第三と第四境界のある物品受領領域のそれぞれの部分を備える第一と第ニ境界のある物品受領領域部分を結合する少なくとも第一と第二結合取り付けを規定する段階とから構成され、それによって、取り付け結合規定の段階が、それによって多重パックトート装置形成する第一と第二パネルグループ結合することを特徴とする多重パックのトート装置の組み立て方法が提供される。
【００３４】
上記と他のニーズ、目的、特徴と本発明の利点が、参照の数字が要素などを指定している付帯する図と合わせて読まれる以下の説明から明らかとなる。
【発明を実施するための最良の形態】
【００３５】
付帯図に図示される本発明の幾つかの実施例の詳細に参照を付ける。可能な限り、同一または類似の参照番号は同一部分あるいは類似部分を参照する図と明細あるいは段階で使われる。図は単純化された形で、正確なスケールではない。単に便宜性と明快さを目的として、方向言語、例えば、上面、底面、上方、下方、上、上部、下部などが図に関して使用される。これらあるいは類似の方向言語は如何なるものであっても発明の範囲を制限すると解釈されるものではない。更に、「結合」「一対］のような言葉と屈折形態素もつ類似言語は直接そして直近を意味する必要はなく、中間要素あるいは手段としての結合を含むものとする。
【００３６】
図1Aから１Iを参照して、本発明の一つの別の実施例は、示されているように、それぞれのハンドル開口部102A,102B,102Cと102Dを有する4つの類似した形のパネル101A、101B,101C と101Dからなる多重容器あるいは多重パックトート装置を提供する。
【００３７】
便宜上だけのために、パネル101Aと101Bは外側パネルとして参照され、パネル101Cと101Dは内側パネルとして参照される。同様に便宜上、後で説明するように、パネル101Aと101Cは第一決定容器グループとして参照され、パネル101Bと101Dは第二決定容器グループとして参照される。後で提供されるように、本多重パック発明は、本発明の精神と範囲を逸脱することなく、容易に適合された多重パックトート装置を提供するために単一セットの容器グループが結合されたり、変更されたり、あるいは拡張されたりすることができる。
【００３８】
本実施例は、後で説明するように、各パネル101Aから101Dは、充填されたトート装置のための平面支持表面の形成を補助するために成形した底部部分104（ここでは円形であるが他の形も以降考えられる）を含んでいる。成形された部分104は、本発明の精神と範囲を逸脱することなく、同じ目的のために異なる形、区画、当て布と構造を備えて提供されることが理解される。
【００３９】
好ましい構造においては、各グループの2つのそれぞれのパネルは、開口上部部分と閉鎖底部部分を有する大きな単一ポケットあるいはバッグの各グループを成形する部分外側外周縫い目線106（同様に外周取り付け結合とも称される）に関して一緒に縫い合わされる。外周縫い目線106は、縫製機械で成形されたことが示されているが、使用中の可撓性を制限することなく確実に個々のパネルを結合するどのような適切な方法でも構築されることができる。適切な構築方法は別の接着、ラジオ周波数(RF)縫合、リベット縫合などを含むことができる。
【００４０】
配管あるいは縁取り材料103は、各グループ（ここでは2つの結合パネルについて）の各それぞれの開口上部部分の周りとそれぞれのハンドル開口部102Aから102Dの周りで縫合される。縁取り材料103は、好ましい外見を提供し、ハンドルとパネルを強化し、使用中の擦り切れと摩損を最少にするために役立っている。後述するように、縁取り材料103は、パネル101Aから101D（図示）上部部分の周りの単一層中で提供されることができ、パネルのグループが結合されている場合には、配管あるいは縁取り材料の付加層103Aは、結合縁を更に強化し、縁取り材料103の部分を覆って、容器領域間の円滑な転移を提供するために使われることができる。付加層103Aは、後の組み立て中に適用されることができ、後述するように、境界領域110の形成に先立って適用されることもできる。
【００４１】
次の段階で、2つのパネルの各グループは、選択された位置で瓶縫い目108として便宜上参照される規定縫い目108であるが、規定取り付け結合を備える容器あるいは境界領域110の中へ更に規定される。示されている実施例では、瓶縫い目108は、2つの境界領域110に2つのパネルの各グループを分割して2分の１の間隔で配列される。
【００４２】
次の段階で、2つのパネル（101A+101Cと101B+101D）の各グループは、互いの上に配列される。分割されたパネルの2つのグループは、それから、2つのパネルの2つのグループを一緒に結合するハンドルの下に位置する縫い目線（結合縫い目あるいは結合取り付けと呼称）109によって一緒に縫合される。結合縫い目109は、示されているように（図1E参照）、それぞれの一連の容器縫い目線108によって形成されたそれぞれの容器あるいは境界領域中に配置されている。該結合は、それぞれの容器領域あるいはポケット110が、選択されたパネル材料の上に最少の圧力で押し、しかも非使用中は多重トートを平面にしておくことのできる蜂の巣様効果の中に容器105を受け入れることを可能にしている。該構造（パネルポケットの多重セット）は、製造変更を円滑にして、廃棄物を最少にする容易な容器形状に適合できる。
【００４３】
例えば、規定あるいは片面上の容器縫い目線108の除外によって、より大きなポケットが（後に示されるように）、例えば、2つの容器105を備えてサンドイッチの輸送を可能にして、提供される。
【００４４】
第ニ例では、規定あるいは両面上の容器縫い目線108の除外によって、単一の大きな直径の瓶が、保管されることができ、しかも、対峙するより大きな境界領域110中のサンドイッチの輸送を可能にしている。同様に、当業者に認識されるように、該構造は、多様な目的を持った構造、オムツ携帯バッグ、日用品バッグなどののような多重ポケット構造と、より大きな個人用ポケットの創作に即時に適合できる。
【００４５】
図１Gに具体的に記載のように、容器105は挿入され、示されているように、垂直方向111に沿って境界領域110から引き出される。該構造は、多重パックトート100Aが、説明された自己支持と緩衝の精神を逸脱することなく、部分的に充填された構造に容易に使われることができる。
【００４６】
直接図1Iを参照して、適合的構造は、使用間の包装、保管、輸送のために便利な形に巻かれた多重パック100Aを安全にするためにファスナー部分112Aを有するストラップ112を使うことによって用いられることもできる。
【００４７】
図1Fで明らかなように、本構造の各パネル101Aから101Dは多重層であり、さらに、対峙する保護層107Aによって境界付けされた弾力性の緩衝層107を有している。説明されるように、本構造は、単一層材料を含めて、各パネルには、合理的ないかなる材料も選択できるが、本発明の精神と範囲を逸脱することなく、本発明の望ましい構造の一つは、開いたり閉じたするセル形、あるいは天然あるいは人造、例えば、ネオプレンあるいはSBR（スチレンブタジエンゴム）、のいずれかの種類のフェルト材料の一つとして緩衝層107を提供する。類似して、外側保護層107Aは、適切な天然あるいは人造の如何なる材料からも形成されることができ、本発明の精神と範囲を逸脱することなく、布や薄膜材料から形成されることができる。従って、一例として、コーティングされたナイロンの織物が層107Aとして使われることができ、石油から作られた可撓性のある薄層も適用されることができる。
【００４８】
図2Aから2Eを参照して、別の多重パックの実施例100Bは、実施例100Aに類似する構造で示されるように、パネルあるいはシート113A,113B,113Cと113Dを具備して、提供される。上記実施例100Aで説明された類似の構造的態様で、それぞれのパネル113Aから113Dは、それぞれハンドル開口部114Aから114Dを具備している。
【００４９】
特に図2Bでよくわかるように、中心部材113C,113Dを覆っている保護的縁取りあるいは配管層103は、部分的に覆われており、実施例100Bのいずれかの側で付加的な保護層103Aを結合している。
【００５０】
実施例に見られるように、それぞれのパネル113Aから113Cと１１３B から113Dは、当初容器グループあるいは、側面あるいは外周縫い目106近傍の組として形成されている。
【００５１】
上記のように、本多重パネル構造は、図2Dでもっともよくわかるように、規定縫い目線108の使用と、結合縫い目106の使用によって多様性のある多重パック設計の即時形成ができる。ここでは、個々のパネルは、大きな設計の変更や機械の再据付を必要とすることなく、縫い目線の位置決めによって多重境界容器領域中に形成される。
【００５２】
結果として、上記の単純化された構造の顕著なニーズの一つは、多重パネル構造と反復的分割の使用と縫い目あるいは縫合による保証によって容易に達成される。
【００５３】
図３Aから3Cを参照して、本発明の別の適合的実施例3は、それぞれハンドル開口部116A,116B,116Cと116Dをそれぞれ具備する側面パネル、シートあるいは区画115A,115B,115Cと115Dを具備している多重パック100Cで提供される。
【００５４】
先の多重パックの実施例100A,100Bとは異なり、多重パック100Cは、当て布縫い目線118近傍のパネル115Aから115Dのそれぞれの底部部分に結合された2つの当て布部材117,117を具備している。
【００５５】
ここでは参照に取り込まれ、図３Cに示されているように、当て布部材117は、それぞれの境界容器領域110の底部に容易に橋かけをし、容器105を支持し、がたがたを防止するために平面底部材を形成するために成形された底部区分104を置き換える。
【００５６】
当て布部材117の包含は、該過程に追加的な構築段階を加えるが、追加の時間と費用は最少であり、使用間の輸送中、多重パック100Cの容易な折りたたみと小型化を可能にするために当て布117の中心領域に沿って熱融合によって曲げ縫い目が形成されることが想定される。当て布部材117,117上の外側の保護層107Aは、パネルあるいはシート115Aから115D上に用いられた保護層107Aのために選択された材料と異なるか、あるいはより磨耗抵抗のある材料から選択されることができる。結果として、本実施例は、意図しない劣化もなく頻繁な使用あるいは高い磨耗環境下でも用いられることができる。
【００５７】
多重パック装置100Dによって代表される図4Aから4Cに示される本多重パック発明の別の選択的実施例を参照する。多重パック装置100Dは、示されているように組み立てられたシートあるいはパネル部材119A,119B,119Cと119Dを具備し、それぞれは、それぞれのハンドル開口部120Aから120Dを具備している。
【００５８】
構造は、外周結合121（外周縫い目106を置き換えている）と規定縫い目線108を形成するための外周縫い目123を用いている上記で説明された該実施例に本質的に類似している。先に説明されたように、類似の縁取りと配管材料103,103Aが用いられる。
【００５９】
本実施例100Dでは、外周結合121は、縁から縁の縫合を必要とする外周縫い目106よりも、使用するためのより速い構築方法において単純な縫い目が形成される。しかしながら、結果として、パネル119Aから119Dの未加工で、未仕上げの縁は、露出され、縁取りあるいは配管材料103,103Aに類似する付加的外周配管あるいは縁取り材料112の封入によって覆われなくてはならない。
【００６０】
図5Aから5Cを参照して、先の図で明らかなように断面図は、外周縁取り106のための縫い目と構造置換と、先に明らかなように4つのパネル多重パックを代表するパネル101Aから101Dの使用を開示している。類似して、多重パック中のそれぞれのパネルのための多重層107,107Aは、各パネルの露出切断末端を縁どりあるいは配管材料103,103Aがどのように保護するかが明らかにされている。
【００６１】
図5Dを参照して、パネル115A（とそれぞれにパネル115Bから115D）は外周縫い目線106に類似する方法で先端縫い目線118によって当て布部材117に結合されることが明らかである。従って、織物組み立ての当業者と製造者は、縫い目線106,118,123などは、本発明の精神と範囲を逸脱することなく、縫い目線によって要求される仕事を完成するために効果のあるどの方法でも用いられることができることが容易に理解される。
【００６２】
図6Aを参照して、4パックの多重パック構造100Eが分解図で提供され、図1Aから1Iで提案された参照番号が便宜上使われる。
【００６３】
代表的縫い目線106,108と109で示されているように、類似パネル構造から多重パックトートの構築は、前述のトート組む立て過程での切り出しパターンと他の段階と同じで迅速にして行える。
【００６４】
図7Aから7Cを参照して、別の多重パック実施例100Fは、説明された実施例1に類似の方法で4つの外側容器のための境界容器領域を提供する。
【００６５】
ここに示されているように、連続パネルあるいはシートは多重のプリカットハンドル開口部126を備えて提供される。連続シート125は、連続パネル部分127A,127Bに説明上、再分割される。これ以降理解されるように、連続パネル部分は、パネル部分として単純に参照される。従って、もともと連続形であるか、互いに完全に分かれたものであろうとなかろうと、構造の類似性は維持されて、文言パネル部分あるいはシート部分が用いられる。
【００６６】
図7Bで示されているように構造組み立てを用いるならば、類似の縫い目線106,108,109が複数のポケットあるいは境界領域110Aを形成するために用いられる。示されているように、多重トート装置100Fは、縁の磨耗を最少にするために配管あるいは縁取り材料103,103Aを具備している。
【００６７】
本多重トート装置100Fの主たる商業上の利点は、単一シート構造であり、組み立て中のパネル間の非意図的な誤配列、即ち浪費を防止することである。
【００６８】
図8Aから8Cを参照して、別の代表的多重パック構造100Gは、示されているように、多重のそれぞれのハンドル開口部129を備える2つのそれぞれ連続して折りたたまれる部分128A,128Bを提供する。連続パネル部分128A,128Bが、参照される図7Aから7Cに関連するコメントに類似して、単純化のために、全てのパネル部分は、製造の単純性のために結合されているか、あるいは別のものであろうとなかろうとパネルあるいはシートして参照される。
【００６９】
図7Aから7Cに示されていることに関連し、類似する態様で、単純化された構築技術が、本発明の精神と範囲を逸脱することなく、多重パネル設計によって可能となるように用いられることができる。
【００７０】
織物と消費者製品組み立ての当業者は、変更は、単一（多重トート実施例100F）あるいは2重パネル（多重トート実施例100F）設計になされることができることを認識する。
【００７１】
図9Aと9Bを参照して、別の多重トート実施例は、哺乳瓶132を輸送するための多重トート100Hで提供される。一対の対峙するパネルあるいはシート130A,130Bは、外周縫い目に沿って縫合され、拡張当て布部材131は当て布縫合によって結合される。多重トート100Hは、瓶132を受け入れるために2つの容器領域に分割される。
【００７２】
ストラップ137Aとして示される開放可能な結合部材は、留め金部材136,136間の留め金嵌合ができるようになっている。縁取りあるいは配管材料137は、略開放外周に提供される。瓶132は、哺乳瓶であって、瓶132の壁から空間134を経て間隔があけられている調離乳135を含むためのプラスティックバッグ133を含んでいる。
【００７３】
図10Aと10Bを参照して、もう一つ別の多重トート実施例100Iは、底部当て布部材139と先に説明した方法の縫い目と分割要素によって結合される側面パネルあるいはシート138Aと138Bを含んで提供される。ワイン瓶として示される容器140は、中に位置して、安全に保持される。ハンドル開口部141,141が、示されているように、シートあるいはパネル138A,138Bに沿って位置が合わせられる。
【００７４】
図10Bで明らかなように、ワイン瓶140の壁は、それによって、緩衝して、選択肢として液体成分143を断熱してるパネル138A,138Bによって直接接触され、断熱されている。
【００７５】
図11Aと11Bを参照して、多重パックトート装置100Jは、外周縫い目106によって結合されたパネル145A,145B,145Cと145Dを有する多重パネル構造を具備する。示されているように、パネル145Aから145Dは、ハンドル開口部146Aから146Dを具備している。規定縫い目（示されていない）は、先に記載された方法で複数のポケット110Jを形成しチャック引き金148を有するチャック147は、各ポケットの組を閉じるための機構を提供している。
【００７６】
本実施例で明らかなように、チャック147は、それによって即時保護ができ、多重トート装置100Jを閉じることのできるように、ハンドル開口部の下の各ポケットの空洞内で、外周縫い目106から延伸している。結果として、容器支持のパーツとしてのチャック147に沿っては何らの張力が加えられないだけでなく、ポケット空洞を閉じる場合にも圧力がかからない。
【００７７】
図12Aを参照して、多重トート装置100Kは、外周縫い目106によって結合されている多重パネルあるいはシート構造151A,151B,151Cと151Dを具備する。
【００７８】
図１１A,11Bに明らかな実施例100Jと対照的に、多重トート装置100Kは、各容器受け入れ領域を完全に閉じる各パネルの略外側縁の引き金150を備えるチャック149を用いている。本構造は、実施例100Jの構造に類似しているが、張力と圧力がチャック149に沿って加えられることができる。本構造は、完全に多重トート100Kを閉じ、便利な握りのために近接配置にハンドル開口部を保証する利点を提供している。
【００７９】
実施例100Kに類似して、図13Aを参照して、多重トート実施例100Lは、示されているように、外周縫い目によって原則的に結合された多重パネルあるいはシート構造152A,152B,152Cと152Dを提供する。ハンドル開口部153A,153Bは、外周パネル152A,152B上に提供されるが、内側シート152C,152Dは、容器105の容易な位置決めを可能にするために高さが減じられた中央パネル154内で結合されている。
【００８０】
配管あるいは縁取り156は、示されているように、外側シート152A,152Bによって創られた開口部を取り囲み、単一チャック155は、安全な容器輸送のために単一で確実な囲いにシート152A,152Bを結合する。
【００８１】
該実施例一つの利点は、容器が、先の実施例で明らかなように可撓性中央パネルを位置決めする必要がなく容易に挿入されることができることである。別の実施例として、中央パネル154は、先に記載されたように（示されていない）、半剛体の中央障害物を容器105に形成したり、規定結合縫い目108,109を容易に受けたりする内側パネル152C,152Dに縫われた濃いフォームのシートから形成されることができる。結果として、多重トート装置100Lは、本発明の精神と範囲を逸脱することなく、変更された構造に即時適合を示している本多重パネルトート装置の別の実施例11であり、さらに、完全に閉じられた容器受け入れ領域の利点を提供している。
【００８２】
図14Aを参照して、実施例12は、ハンドル開口部158A,B,CとDと関連して示されるパネルあるいはシート157A,157B,157Cと157Dによる本多重設計を用いてなる多重パックトート装置100Mである。
【００８３】
先に明らかにしたように縫合は、多重トートパック100Mの第一側面（左手側）上の複数の境界容器領域を提供し、さらに、結合縫合109だけがパネル157D,157Bを保証する。結果として、単一の大きなトートポケット（「完全開口」）160が、示されているように、提供されて、チャック159を経て閉じられる。結果として、大きなポケット160は、チャック159によて保証される安全な態様で、鍵162、薬163と財布あるいは札入れ164のような瓶でない物品入れるのに適している。即ち、当業者は、3つの小さな容器領域110と個人的な物品を携帯するための単一チャッで閉める大きなあるいは完全開口部160を備えた4つポケットの多重トートの一種として実施例100Mを認識する。
【００８４】
図15Aを参照して、多重パックトート装置100Ｎの更なる実施例は、容器領域110を囲っている第二チャック159の付加的含有物を備えて、図14に説明されたものと類似の態様で構築される。本設計の結果として、多重トート装置100Ｎは、本発明の精神と範囲を逸脱することなく、変化する消費者の要望に対応して変化するデザインは、本発明の教示を取り込むことができることが認識されるだろう。
【００８５】
図16Aを参照して、本発明の更なる変化は、大きなあるいは完全な開口部160上のチャックによる囲いこみ無く示されている、多重パックトート装置100Oで提供される。本実施例は、図14Aと15Aに明らかにされた該実施例からは離れているが、全ての開口部が安全なチャックを必要としないことは認識されるべきである。例えば、装置100Oは、大きいあるいは完全な開口部が、安全のためのチャックを必要としない価値のないオムツを入れるもので、容器領域110は、輸送中に安全のためのチャックを必要とする哺乳瓶を受け入れるものである赤子のオムツバッグに適したものとすることができる。
【００８６】
図17Aから17Cを参照して、多重パックトート実施例100Pは、3つのポケット構造を提供するために166Dを通してパネルあるいはシート166Aを備えた多重パネル設計を用いつつ構築される。
【００８７】
ハンドル開口部172A,172Bは、それぞれ、外側パネルあるいはシート166A,166B上に配置される。外周縫い目106は、パネルの縁を結合して、それぞれの容器開口部110、中間開口部168と大きな開口部167のために成形された領域104（容器サイズ）、104‘（大きなサイズ）と104A（中間のサイズ）を提供する。本構造と教示に従って明らかになるように、多重トート100Pは、大と中の成形された領域104’,104Aは、輸送に先立って支持表面上にその間実施例を支持し、安定化するために平面にされた底部部分173,173を形成しつつ容易に平面となり、容器領域110は先に説明されたように平面となる財布として使われることができることが容易に想定される。
【００８８】
規定縫い目線108は、容器105を受け入れ、縫い目を結合し（示されていない）、先に説明されたように内側パネル166C,166Dを一緒に結合するために単一容器領域110を創る。ここでさらに明らかなように、財布あるいはハンドバッグとして別の本実施例の中央領域改善用途を備えて高さが減少されている。
【００８９】
配管あるいは縁取り材料170は、先に記載された方法でパネルの縁を保護する。ここでは、チャック部材171は、鍵と財布のような個人的物品を保持するための大きなポケット167を安全なものとすることができ、さらに、中くらいの開口部168はサンドイッチ165を受け入れる。
【００９０】
図18Aを参照して、本発明の別の適合的実施例16は、示されているように、パネルあるいはシート174Aから174Dを具備する多重パックトート装置100Qを提供する。減少した高さを有する中央部材177は、中央パネル174C,174Dの結合を表現しているが、別にフォームあるいは半剛体位置容器手段を表現することができる。外側パネル174A,174Bは上方向に伸び、円滑で好ましい外見を表現するために縁取りあるいは配管材料176を備えて完成する。示されているように、ベルクロ部材178,178は、示されているように、ハンドル開口部175A,175Bの近傍でパネル174A,174Bの対峙部分上に提供される。縫い目178Aは、各パネル上の適当な位置にベルクロ部材178を保持する。
【００９１】
先と同様、ベルクロ部材178,178は、不意の拡散を防止しつつ、トート100Q内で容器105を保証するための機構として上記で明らかなチャックに類似性を与える。同様に明らかなように、かつ先の各実施例に類似して、個々の容器領域は、容器105の受領時、多重トート100Qが支持表面上に直立することができるように共結合されて、共支持していいる一連の平面底部を形成する。
【００９２】
図19Aを参照して、本発明のもう一つ別の実施例を代表する多重トート装置100Rは、示されているように、それぞれのパネル179A,179B中にハンドル開口部180A,180Bを備えたパネルあるいはシート179A,179B,179Cと179Dを提供する多重パネル態様で類似的に構築される。
【００９３】
本実施例において、配管と縁取り材料181は、曝された縁を覆い、示されているように、内側パネル179C,179Dの減少した中央領域を覆っている。ここでは、留め金部材182として示される一連の取り付け手段は、外側パネル179A,179Bとハンドル開口部180A,180Bの上部境界の周辺に提供される。
【００９４】
図18Aに示されることに類似の態様で、固定部材182は、不意の分散や滑りを防止ルするために容器105を挿入後、使用者が多重トート装置100Rを固定できるようにしている。留め金182は同様に、配達者が、製品（例えばソーダ類、ホットソースなど）を容器100R中に包装し、外側パネルを固定し、一般大衆に好ましい「封入された」外見を提供することができる。
【００９５】
図20Aを参照して、多重パックトート装置100Sは、ストラップ部材183と組み合わされて、先に記載された方法（例えば、図11A、多重トート実施例100J参照）で形成される。示されているように、ストラップ部材183は、肩ストラップあるいはベルトストラップとすることができるが、多重パックトート装置に固定された方法で示されている。本実施例の利点の一つは、容器を失くす危険がなく、便利なハンズフリー方法で多重トート装置の安全な輸送である。
【００９６】
図21Aを参照して、本発明の別の実施例は、取り外しできる肩ストラップ部材184を備えた代表的多重トート実施例（図１１Aで明らかな多重トート100Jとして、ここでは選択される）組み合わせて多重トート組み立て100Tを提供する。解除できる留め金末端185は多重トート装置100Jの部分上に配置された留め金の輪で回転して嵌合できる。
【００９７】
本発明の結果として、本発明の精神と範囲を具現化している多重トートパックは、輸送と消費者に便利に役立つためのストラップ、ベルト、他の手段を取り入れることによって容易に適合できることが当業者によって認識されるはずである。
【００９８】
図２２Aを参照して、多重トートパックの別の実施例100Uは、パネルあるいはシート187Aから187Dを通して関連する多重パネル構造を用いている。外側パネル187A、187Bは、図に示されているように、成形された腕あるいは肩開口部188を具備するそれぞれの拡張パネル部分189,189を備えて上方に延びている。
【００９９】
本実施例（多重トートパック100U ）は、本実施例の精神と範囲を逸脱することなく、消費者製品の多様な配列に本発明の概念の即時の適合性を提案する。結果として、拡張パネル部分189,189とそれぞれの肩開口部188は、反対側の肩周りを包むあるいは長い可撓性ストラップを形成する図36Aに示される弾帯タイプの形に適合できることは当業者は容易に認識するはずである。同様に、本発明パネル構造は、財布や他のトート物品として更なる磨耗に耐えるために外側パネル187A,187B上を覆う、より耐久性のある覆い、Courdura(R) ナイロンのようなものを用いるためにも容易に適合されるものであることが想定される。同様に、トート装置100Uは、製造者によって要求されるような多重ポケット（2つポケット、3つポケット、4つポケット、5つポケットなど）を形成するために何らかの適当な方法で縫合されることができることが認識されるであろう。
【０１００】
図23Aと23Bを参照して、多重パック100Vの他の実施例は、代表的例としてパネル190A,190B,190Cと190Dを備えた多重パネル構造を用いる。本発明の実施例において、中央パネル190C,190Dは、ハンドル開口部193を有する中央ハンドル構造部材192の中へ、上方に延伸している。先に説明したように、配管あるいは縁取り材料191は切り取り縁を囲む。
【０１０１】
折蓋パネル部分191は、覆い折蓋を形成する外側パネル190A,190Bの一つから上方に延伸している。折蓋パネル部分は、略方向Kで回転することによって、示されているように、中央ハンドル構造192を嵌合するために成形された折りたたみハンドル開口部195を具備している。留め金196として示されている一連の保持あるいは嵌合部材は、個々のポケット199Aの中で、保持容器105を確実に閉じるために外側パネル部材190Aの反対の部分に位置する関連留め金を嵌合するために折りたたみパネル部分194の導入部分上に配置されてなる。
【０１０２】
一連の輪状の穴199は、使用者の肩から多重パックトート100V を便利に支持するためにストラップ197の反対側の末端に取り付けられた分割リングを嵌合する。
【０１０３】
本実施例は、本発明の多重パネル趣旨を同様に強化するが、単なる代表例として認識されるべきである。当業者は、本発明の精神と範囲を逸脱することなく、追加のパネルの組が用いられることができ、異なる保護手段が用いられることができることを認識するだろう。
【０１０４】
図24Aを参照して、別の多重トート装置100Wは、受け入れ容器105のための一連の開口部あるいは容器領域206中に先に説明したように縫合によって結合された、示されているように、一連の結合されたパネル部材200A,200B,200Cと200D を提供する。
【０１０５】
先の実施例のように、中央パネル部材200C,200Dから延びる中央ハンドル構造部分201は、上方に突出して、両方のパネルを通して通過するハンドル開口部203を具備している。多重トート装置100Wはハンドル開口部203によって携帯されることができる。
【０１０６】
外側パネル200A,200Bは、それぞれ折蓋の指部分205中に後で規定される一連の規定折蓋パネル部分204A,204B中に向かって上方に突出している。
【０１０７】
使用中あるいは輸送中、折蓋パネル部分は、容器105を覆って保持し、指部分は、不意の分離に対して摩擦によって容器を保持するためにそれぞれの容器領域206に入る。望ましい実施例の一つの利点は、それぞれの容器105を別々に挿入し、引き出し、断熱・保護する適応能力である。
【０１０８】
先の実施例のように、当業者は、本発明の精神と範囲を逸脱することなく、いろいろな変更と適合がなされることができることを認識するはずである。例えば、拡張は、ハンドルが一つのパネルから伸びて、折蓋パネル部分は別のパネルから伸びる場合、付加的なパネルのグループ化あるいは単一パネルの組と単なる3つのポケットを取り除いて、創造されることができる。明らかに、ここでの本発明の範囲を逸脱することなく、ストラップ、ハンドル、筐体などは、変更されることができる。
【０１０９】
図25Aを参照して、本発明の別の実施例23は、それぞれのハンドル開口部208A,B,CとDを備えた多重パネル207A,207B,207Cと207Dから構築される多重パックトート100X を提供する。示されているように、パネル207AからDの縁は、一緒になった全ての4つのパネルのための共接点結合側面領域212中の210で、中央接合上部位置の周辺で結合している。縁取りあるいは配管材料は、露出した縫い目を覆い、規定結合縫い目は、容器105受け入れのために明らかにされたように、複数の容器ポケットあるいは開口部211を規定するために用いられる。
【０１１０】
先の実施例のように、別の構造が、本発明の精神と範囲を逸脱することなく、用いられることができる。本構造の一つの主たる利点は、全てのパネルの単一中央接合をもつ単純な設計と迅速な製造である。該中央縫合は、全ての容器ポケット211のための拡張範囲を特に末端で最少にして、それによって、もっとも脆弱な外側縁の容器の安全な保持を改善するのに役立っている。
【０１１１】
図25Bを参照して、本発明の別の実施例23は、関連するハンドル開口部208A,B,CとDをそれぞれ備えたパネル213A,213B,213Cと213D具備する多重パネル設計から構築される多重トート装置100Yに関する。 配管あるいは縁取り材料209は、示されているように、位置決めされ、一連の容器ポケットあるいは開口部218は明らかにされた縫合によって提供される。
【０１１２】
中央縫い目領域217は、トート100Yの各側面上の全てのパネルを結合する。示されているように、追加の当て布パネル214Aと214Bは、それぞれのパネルポケット集団の底部領域上に位置決めされ、縁配管215によって保護された縫い目で結合される。当業者は、本実施例と先に説明したように説明された実施例との間の関係を認識する。本発明の利点は、図25A の先の実施例で明らかであり、かつ、より容易に容器を受け入れるための当て布構造の使用を具備することである。
【０１１３】
図26Aから26Eを包含する別の多重トート構造を参照して、ポリエチレン、マイラー、あるいは如何なる適切な薄膜材料のような薄膜材料、きつく織られ、コーティングされたナイロンのような非弾性の合成織物材料と、容器設計について当業者に知られているような他の関連する材料から形成された多重トート実施例100Zの開示に関する。同様に上記の熱断熱と弾性材料のネオプレンとSBRは、同様に、大きな困難さも無く、より多くの費用もかからず、接着と熱あるいはRF（ラジオ波）結合で用いられることができることが認識されるべきである。
【０１１４】
多重トート100Zは、ハンドル開口部220A,B,CとDを有する一連のパネル219A,219B,219Cと219Dから形成され、示されているように、一連の接着剤あるいは温度・加熱密閉ボンド221,221Aと221Cによって結合される。密閉手段221は、中央パネル219Cと219Dのそれぞれの上部ハンドル領域を結合し、密閉手段221Aは、外周縫合106に類似の方法で、それぞれのパネルグループの底部と側面を外周縫い目として結合する。密閉手段221Bは、規定縫合108に類似の方法で輸送中の液体222を含む容器105を受け入れるための規定容器開口部224にそれぞれのパネルの組を結合するために機能する。結合密閉手段（示されていない）は、結合縫い目109に類似する方法で中央パネル部材を固定するために用いられる。
【０１１５】
多重トート実施例100Zは、非常に廉価な材料から型抜きと熱あるいはラジオ波（RF）溶接を使って単純で、高度に自動化された態様で構築されることができることが想定される。上記のネオプレンとSBRを用いる上記の熱断熱と緩衝実施例と縫い目手順とは対照的に、本多重トート実施例100Zは、使い捨てあるいは一回使用を意図したものである。従って、ネオプレンとSBRは用いられることができるが、本実施例の主点は、一回使用と非常に廉価なトート装置である。
【０１１６】
本構造のさらなる利点は、薄膜がマイラーでは、特に魅力的である宣伝印刷を容易に受け入れることであって、販売促進利点のために適合できる。
【０１１７】
図27Aと27Bを参照して、別の多重トート装置400Aは、容器105を受け入れる中央領域229を具備して、複数の境界領域228中に異なる容器容量（ここでは7つの容器）を受け入れるための変化のある縫い目パターンを有する多重パネル設計として機能するように設計されている。縫い目パターンを変更すること、規定の縫い目線を取り除くことあるいは縫い目を結合することは、変更された数の容器受け入れ部分を決められるようにできることは当業者によって理解されることである。
【０１１８】
示されているように、パネルあるいはシート225A,225B,225Cと225Dは、ハンドル開口部226A,B,CとDに関連して用いられる。
【０１１９】
明らかなように、配管あるいは縁取り材料227は縁と縫い目線を覆っている。さらに、一連の縫合が用いられる。結合縫い目230は、中央領域を形成している中央パネル225C,225Dを結合し、さらに、各側面上の４つの全てのパネル225A,B,C,Dの縁を結合する。規定縫い目231は、外側の容器開口部228を形成するために用いられ、内側のパネル225C,225Dのそれぞれの部分にそれぞれの外側パネル225A,225Bを結合させる。外側縁において、規定縫い目231は、図27Bに示されているように、共通の縫い目線に沿って縫い目230の結合として、同様に役立つことができることは当業者によって理解される。
【０１２０】
本別の実施例の特別な一つの利点は、多重の容器設計に適合するために縫合とパネル次元において変更ができるような多重パネル容器設計の適合性を強化することである。同様に明らかに、本多重トート実施例400Aは、保護的覆いあるいは折蓋、保護的あるいは支持的ストラップと本開示内で説明された携帯ハンドルを取り入れて適合されることができる。
【０１２１】
更なる考慮として、当業者は、一つ以上の縫い目構造と同様に、一つ以上の底部当て布部材が本設計に取り入れられることができることを認識する。例えば、規定縫い目は、より大きなあるいはより小さなポケットが提供できるように一つ以上のパネル集合が除外されてもよい。
【０１２２】
図28Aと28Bを参照して、本多重トート構造の別の実施例は、ハンドル開口部237A,237Bを備えるそれぞれの側面上で、パネル232A,232Bを備える多重パネル構造を用いて、トート400Bと400Cで提供される。示されているように、容器105を受け入れるための一連の容器受け入れ部あるいは境界領域235は、一連の外周あるいは規定の縫い目線によって規定される。
【０１２３】
各パネル構造と個々の多重パックトートは、ベルクロ嵌合区画234を有するストラップ233をスライドできるように受け入れるために外側容器領域235に沿って一連のループ236を具備して提供される。
【０１２４】
示されているように、ストラップ233は、示されているように、安全な「6つパック」型構造を提供しつつ多重トート容器400B,400Cの両方の周りを包む。同様に、ストラップ233は、本発明の精神と範囲を逸脱することなく、弾帯に類似するバルトあるいは肩越しの構造として身につけられることができることが想定される。
【０１２５】
先に認識したように、多重トート容器400B,400Cは、本発明の精神と範囲を逸脱することなく、規定の境界受け入れ領域の数と型を変えるために縫い目パネルを変更することによって同じように変更できる。
【０１２６】
図28Cを参照して、図28A,28Bの実施例の適合は、使用者の便利さのために改善された新規な腰パックあるいはベルトパックとして使われるために多重トートに加えてベルト構造400D中にベルト239と留め金あるいはバックルを備えて提供される多重トート400Cによって提供される。
【０１２７】
図29Aを参照して、容器ポケット243内にスポーツ瓶241を入れるための別の多重トート構造400Eは、中央の規定縫い目線を備える共通の縫い目線に沿って縫われた2つのパネル244Aと244Bを具備している。
【０１２８】
さらに、具備されているものは、多重パックトート400Eの一つ以上の縁領域周辺の一連の拡張固定タブ246である。提案されるように、一連の固定されたタブあるいは固定タブは、運動着あるいは他の服に取り付けられたあるいは取り付けることができるものであって、使用者に多重パックトート400Eを安全にするために、ここではタブ246を備えた留め金246である固定要素を通して嵌合する。
【０１２９】
以前に提案されたいかなる実施例も、本発明の精神と範囲を逸脱することなく、本多重トート400Eを置き換えることができるが、より重量の軽いトートバッグが運動家に好まれ、従って、小さいサイズのトート装置が主として使われることができることが提案される。
【０１３０】
図30Aを参照して、本多重トート構造の別の実施例は、上で説明されたように、3つの容器構造として示される多重トート400Fを備えて提案される。提案されるものは、即時保管と輸送中にスポーツバッグや他の目的物（小型トラックの後部、ボートの壁、スポーツ座席など）上に保持用かぎ輪249を備えた多重トート構造400Fに連結するための一連の一つ以上のスナップ式留め金248A,248Bである。
【０１３１】
図31Aを参照して、個別化された容器実施例と結合した別の多重トート実施例が提案される、従って、多重トート容器400Gは、受け取り容器105Aに成形された温度変更軸鞘251を受け入れるための一連の受け入れポケット252を具備している。
【０１３２】
当業者によって理解されるように、本多重パックトート装置400Gは、規定可能な容器トート区画を備えたパネル構造に従う。温度変更軸鞘251は、付加的な断熱鞘、低温パック、あるいは加温パックのいずれかであり、ポケット252内でスライドするようにして提供される。  
【０１３３】
結果として、多重（3つポケットでない）の多重パック設計は、熱変更軸鞘251と受け入れ容器105Aを備えてキットとして付加的に提供されることができることが容易に想定される。従って、例えば、図27Aに示された７-実施例は、本発明の精神と範囲を逸脱することなく、容器105のための軸鞘251を受け入れるために形成されることができる。
【０１３４】
図32Aを参照して、外見主導の多重パック実施例400Hに対して、示されているように、それぞれのハンドル開口部254A,B,CとDを備えたパネル253A,253B,253Cと253Dを備えた連続パネル構造を用いつつ提供される。配管あるいは縁取り材料235は、それぞれの縫い目を境界付け、境界されたポケットは、受け入れ容器のために規定される。
【０１３５】
各それぞれのポケット部材外側領域において、一つ以上の開口部255は、配管あるいは縁取り材料255によって境界付けられ、それぞれの容器上にロゴ257を露出して提供される。
【０１３６】
本多重トート装置400Hの一つの利点は、開口部255が、使用者が、容易に製品ロゴをみることができるようにすることで、従って、製品の販売促進的魅力が拡大される。同様に、多重トート装置400Hは、販売促進努力を助けるために付加的外部印刷（先に提案されたように）を備えた販売促進的製品としてより容易に用いられることができる。
【０１３７】
図33Aを参照して、多重トート装置400Iの別の実施例は、先に記載された方法で、多重パネル262Aから262Dを備えて構築されるが、中央領域262中にそれぞれのパネルを結合している配管あるいは縁取り材料261に沿って嵌合するために形成された側面ポケット258を付加的に具備する。
【０１３８】
手で持つ道具、ここでは栓抜き、は多重トート装置400Iにつなぎ綱あるいは拘束260によって取り付けられている。従って、本多重トート装置は、使用者の便利さのために手で持つ道具と組み合わせて、多重トート容器内で売られる特定の製品の販売促進に役立つものとして提供される。
【０１３９】
図33Bを参照して、多重トート装置400J は、示されているように、シート264A,B,CとDを使う多重パネルあるいはシート構造を備えて提供される。本実施例では、先に説明された実施例に類似して構築され、付加的な栓抜き道具267は、示されているように、パネルあるいはシート264AからDの一つに縫合265によって縫合される。配管材料266は、縫合265を取り巻き、好ましい外見を提供する。図33Aで明らかにされた実施例に類似して、栓抜き道具は267は使用者の便利さを手助けし、該装置の販売促進の魅力を増大する。
【０１４０】
図33Cを参照して、更に別の多重トート装置400K は、268A,B,CとDを使って上のように表された多重パック構造の多重型の一つを具備している。付加的な手持ち道具270が、栓抜き271に便利なアクセスを提供するための埋め込みボルトあるいは回転軸点269でパネルの一つに取り付けられている。上に説明したように、本実施例は、本発明の用途を示す別の設計である。手持ち道具270は、略回転軸点269で回転させるか、パネル部材268Aを曲げることによって使用するために容易に位置が決められる。
【０１４１】
図34Aを参照して、別の多重パックトート装置400Kは、多重パネル272A,B,C,Dを備えて提供される。外側パネル272Aと272Bは、それぞれ、延伸あるいは拡張パネル274A、274Bの中へ、上方向に伸びる。
【０１４２】
延伸パネル274A,Bは、示されているように、それぞれの肩開口部273A,Bは、重量を支えるために便利な方法で多重トート装置400Lを使用者が配置することができるようになっている。パネル272AからＤが弾性材料から構築される場合は、歩行中の付加的な伸びる動きが使用者によって生まれる重量を緩和する。
【０１４３】
さらなる特長は、透明覆い278が、身分証明書、販売に先立つ販促材料、好ましい写真などを配置する使用者のために場所を提供し、取り付け点で縫合275によって結合される開口部277でもって明らかである。
【０１４４】
図35Ａと35Ｂを参照して、別の多重パックあるいはトート装置400Ｍは、ここでは9つの容器105のために本多重パネル設計に基づいて提供される。
【０１４５】
示されているように、一連のパネル280Ａ,B,C,D,EとFは、一連の容器領域あるいはポケット282を形成するそれぞれの外周縫い目285によって結合される。配管あるいは縁取り283は、それぞれのパネル部分280A,280B上にハンドル開口部281A,281Bに境界をつけている。
【０１４６】
図35Aに示されているように、内側パネル280C,D,EとFの中心部分は、それぞれのパネルを結合し、好ましい内側パネルの仕上げと各内部区画への即時アクセスを提供する束ね縫い目領域286に沿って中央配管材料284によって刈り込まれ覆われている。
【０１４７】
ここで説明する観点からは当業者には明らかであるように、規定あるいは結合のための縫い目線は、実施例の中で多くの容器領域あるいはポケット282を調整するために再配置、除外あるいは変更されることができる。従って、例えば、外側領域は、たった2つのポケットを有することができるだけで、内側領域は、個人物品の輸送中チャックで保護できる。
【０１４８】
図36Aを参照して、別の多重パック実施例400Nは、ここで説明される多重パネル設計に基づいている。パネル287A,287B の組は、連続した側面縫い目線290に沿って提供され、結合される。複数の分割縫い目291は、多くの受領領域に再分割できる。各パネル287A，287B上のハンドル288は、即時輸送のために手でしっかりと掴めるようになっている。
【０１４９】
一連の体にあわせた部分294は、多重トート装置400Nが、容器105が満たされて後支持表面上で直立でたつことと可能にしている。各パネル287A、287B上の延伸している支持部分292は、容器領域から離れて伸びて、実施例400Nを通して用いられた配管と縁取り材料に類似する結合あるいは覆い縁289で終了している肩あるいはベルト部分を形成する。
【０１５０】
バックル293は、延伸して、パネル287A、287Ｂの反対末端を結合し、必要以上の歪もなく容易に多重容器を使用者が輸送できるようにしている弾帯あるいは連続支持輪を形成する。パネルが弾性材料（必要ではないが好適）から選ばれる場合、使用者の快適さを改善する支持的弾性となる。
【０１５１】
当業者は、多重トート装置400Ｎの本実施例は、本発明に基づく一つの別の設計であり、追加のパネル層が選択されることができ、異なる縫い目線が用いられることができ、本発明の精神と範囲を逸脱することなく、異なる材料が選択されることができることを認識する。
【０１５２】
消費者製品における当業者は、上記の少なくとも一つのニーズに対応する本発明によって提供されるいくつかの基本的な改善を認識する。
【０１５３】
該改善は、以下のものを含むが、制限されるものではない。
【０１５４】
１．機械的なファスナーに対する必要性がなく広い範囲の容器を確実に心地よく保持する
２．外部の物体と表面摩擦による損傷・衝撃から容器の内容物を保護する
３．別の区画にある内容物による損傷・衝撃から内容物を保護する
４．使用しないとき（少ない内部容積）平面にして保管ができるので、空のときには最少の空間を取り（使用されないときは末端使用者のよって小さな引き出しの中か他の携帯ケースにしまいこまれる。）さらなる特徴は、平面保管のための成型された底部当て布の使用ができるが、拡大範囲を増大することができる。
【０１５５】
５．使用しないときに平面となる設計は、同様に、商業的な流通経路の各段階でほとんど保管空間を取らない、それによって輸送経費と容積が減る。（平面で保管され、搬送されるので、他の３次元容器袋よりもより少ない空間を取る。）
６．内容物に優れた断熱を提供する
７．該特別な構造は、各瓶が空間によって分離された別々の室にあるので、他の内容物・瓶の温度の影響がなく自身の温度保護ができるようになっている。（同時に隣接する容器が熱いあるいは冷たい物体を有することができる。）
８．各瓶は、容器の表面領域の本質的な略大部分を覆う、使われた伸びる弾性材料からの張力によってぴったりと包み込まれるので、該構造でもって効果的な熱保護が達成されるためにバッグの上の上部封鎖手段を必要としない。
【０１５６】
９．輸送中の動きの中の僅かなバネ性は快適な感覚を提供する。
【０１５７】
１０．構造は、適合して、製造中の必要以上に設備を一新するｌことなく、効果的かつ快適に形成されることを可能にする。
【０１５８】
１１．十分に釣り合いの取れた幾何学的構造（別名蜂の巣設計）は製造者のニーズに依存していくつかのパターンあるいは実施例で組み立てられることができる。
【０１５９】
１２．該トートは、単純な適合で他の実施例に合わせることができ、緩めたり、壊したりするためのファスナー、掛け金、留め金、分離部品あるいは機械的部分品を持っていない。
【０１６０】
１３．望ましいトートの材料は、弾性と非弾性の材料を具備している腐食抵抗性であり、損傷することなく屋外あるいは屋内で使われることができるものである。
【０１６１】
２１．トート材料は、損傷することなく手あるいは機械で洗われることができる。
【０１６２】
当業者が理解するものとして、記述的言語の使用、例えば、外周、境界を付ける、上部、底部などは、提案された発明の特徴を記述するためで、幾何学、形、あるいは構造に関しては何ら制限のないものと考えられるべきである。従って、例えば、語句「外周」は一つの選択概念で円周の測定を含むが、ここで使われるものとしては、当該語句外周は任意の形の外側領域を示唆し、その外側領域についての単なる直接的な特定の幾何学に制限されない。別の例は、不規則な形は、規則的な形が有するような一つの外側外周を有している。
【０１６３】
同様に明らかにすべきは、語句開放アクセス口は、各パネルグループの入り口領域あるいは一つ以上の境界付けされた容器領域にアクセスするためのパネルグループ間を規定するために広く使われるものであって、各パネルグループの外側の縁領域に狭く制限されるものではない。結果として、図13Ａのチャック155、図11Ａと11Ｂのチャック147、図18Ａのベルクロ部材と図19Ａの留め金182は、全て、開放アクセス口を安全にするためとその中の携帯物品を保証するための機構として広く参照されるものにすることができる。
【０１６４】
請求項中の手段あるいは段階プラス機能の文節は、列挙された機能を実行するものとして、ここで記載されたあるいは提案された構造と、単に構造等価物だけでなく等価構造物も対象とすることを意図されている。従って、例えば、釘、ネジ、ボルトは、構造等価物ではないが、釘は木材部分と円柱表面間の摩擦に依存し、ネジの螺旋表面は明確に木材部分と嵌合し、ボルトの頭とナットは木材部分の反対側を圧迫するものであり、木材部分を締め付ける環境では、釘、ネジ、ボルトは、当業者には、等価構造物であることが容易に理解できることである。
【０１６５】
付帯図を参照して本発明の望ましい実施例の少なくとも一つを記載しているが、発明はこれらの正確な実施例に制限されるものではなく、いろいろな変化、変更、適合は、付属の請求項に規定された本発明の精神と範囲を逸脱することなく、当事者によって成立させられる。
【図面の簡単な説明】
【０１６６】
【図１Ａ】多重パック構造中に４つのポケットを有する別の本発明実施例１の透視図
【図１Ｂ】図1Aの正面図
【図１Ｃ】視点Lからの図1Aの拡大部分図
【図１Ｄ】図1Aの別の実施例1の充填された正面図
【図１Ｅ】図1DのV-Vの線に沿った断面図
【図１Ｆ】図1Eの視点VIに沿った部分拡大図
【図１Ｇ】容器の部分挿入を示す図1Aの実施例1の透視充填図
【図１Ｈ】容器支持のための平面底部を示す図1Dの下面図
【図１Ｉ】空の輸送中の実施例を安全にするための包みストラップを備える図1Aの実施例1の別の組み合わせ図
【図２Ａ】多重パック構造中に6つのポケットを有する別の本発明実施例2の正面透視図
【図２Ｂ】図2Aの別の実施例2の充填された正面図
【図２Ｃ】図2Aの実施例2の透視充填図
【図２Ｄ】図2BのVII-VIIの線に沿った断面図
【図２Ｅ】容器支持のための平面底部を示す図2Bの下面図
【図３Ａ】6つのポケットと当て布の底部を有する別の本発明実施例3の正面平面図
【図３Ｂ】図3Aの別の実施例3の充填された正面図
【図３Ｃ】図3Aの別の実施例3の充填された透視図
【図４Ａ】6つのポケットと全ての側面縫い目を有する別の本発明実施例4の正面平面図
【図４Ｂ】図4Aの別の実施例4の充填された正面図
【図４Ｃ】図4Bの別の実施例4の充填された透視図
【図５Ａ】図1B,1Cと2AのIII-IIIの線に沿った断面図
【図５Ｂ】図1B,1Cと2AのII-IIの線に沿った断面図
【図５Ｃ】図1Bと2AのIV-IVの線に沿った断面図
【図５Ｄ】図3AのVIII-VIIIの線に沿った断面図
【図５Ｅ】図4AのIX-IXの線に沿った断面図
【図６Ａ】図1Aに示されるものに関連する4つのポケット構造の分解図
【図７Ａ】別の本発明実施例5の単一シート構造の分解図
【図７Ｂ】図7Aの該実施例の部分構成図
【図７Ｃ】図7Aの該実施例の組み立て図
【図８Ａ】別の本発明実施例6の双数シート構造の分解図
【図８Ｂ】図8Aの該実施例の部分構成図
【図８Ｃ】図8Aの該実施例の組み立て図
【図９Ａ】２つのポケットと保護的安全ストラップを備える底部当て布を提供する別の本発明実施例７の図
【図９Ｂ】図9AのX-Xの線に沿った断面図
【図１０Ａ】２つのポケット、底部当て布と携帯ハンドルを提供する別の本発明実施例8の図
【図１０Ｂ】図10AのXI-XIの線に沿った断面図
【図１１Ａ】チャックで保護された6つのポケットを提供する別の本発明実施例9の充填透視図
【図１１Ｂ】チャックが開いた図11Aの透視図
【図１２Ａ】6つのポケットと容器を制止する保護チャックを提供する別の本発明実施例10の充填透視図
【図１３Ａ】変更された中心領域と単一含有チャックを提供する別の本発明実施例11の充填透視図
【図１４Ａ】大きなチャックポケットと3つの容器室を提供する別の本発明実施例12の充填透視図
【図１５Ａ】大きなポケットと容器領域の両方にチャックを提供する別の本発明実施例13の充填透視図
【図１６Ａ】チャック付の容器領域を提供する別の本発明実施例14の充填透視図
【図１７Ａ】3つの容器ポケットを提供する別の本発明実施例15の正面平面図
【図１７Ｂ】図17Aの実施例の部分切り取りと充填図
【図１７Ｃ】チャック密閉と減少中央領域を注記する図17Aの実施例の充填透視図
【図１８Ａ】ベルクロ密閉と減少中央領域を提供する別の本発明実施例16の充填透視図
【図１９Ａ】留め金―取り付け密閉と減少中央領域を提供する別の本発明実施例17の充填透視図
【図２０Ａ】トートバッグの即時携帯のための肩ストラップを備えた別の本発明実施例18の充填透視図
【図２１Ａ】トートバッグの携帯のための取り外し可能な肩ストラップを提供する別の本発明実施例19の充填透視図
【図２２Ａ】トートバッグの肩携帯のための延長した外側パネルを提供する別の本発明実施例20の充填透視図
【図２３Ａ】携帯肩ストラップ、保護フラップと携帯ハンドルを提供する別の本発明実施例21の充填透視図
【図２３Ｂ】図23Aの開放と充填図
【図２４Ａ】個々の保護フラップを提供する別の本発明実施例22の充填透視図
【図２５Ａ】別の多重パック構造を提供する別の本発明実施例23の充填透視図
【図２５Ｂ】底部当て布部材を備える別の多重パック構造を提供する別の本発明実施例24の充填透視図
【図２６Ａ】薄膜材料からの別の多重パック構造を提供する別の本発明実施例25の充填透視図
【図２６Ｂ】図26AのXII-XIIの線に沿った断面図
【図２６Ｃ】図26AのXIII-XIIIの線に沿った断面図
【図２６Ｄ】図26AのXIV-XIVの線に沿った断面図
【図２６Ｅ】図26AのXV-XVの線に沿った断面図
【図２７Ａ】7つの容器のための別の多重パック構造を提供する別の本発明実施例26の充填透視図
【図２７Ｂ】図27AのXVI-XVIの線に沿った断面図
【図２８Ａ】安全ストラップ包みを有する多重パック構造を提供する別の本発明実施例27の充填と開放透視図
【図２８Ｂ】図28Aに示される実施例の拡大図
【図２８Ｃ】3ポケット多重パック設計と容易な輸送のための腰ベルトを示す別の本発明実施例28の充填透視図
【図２９Ａ】使用中即時輸送中使用者の服に安全に取り付けれた多重パック設計を示す別の本発明実施例2９の部分充填透視図
【図３０Ａ】追加物品とともに輸送をするための嵌合スナップを備える多重パック構造を提供する別の本発明実施例30の充填透視図
【図３１Ａ】内部に冷却あるい保温手段を備えた別の多重パック構造を提供する本発明の別の実施例31の充填透視図
【図３２Ａ】パネル壁に沿って容器が見える開口部を備えた別の多重パック構造を提供する本発明の別の実施例32の充填透視図
【図３３Ａ】追加の栓抜き用ポケットと保持された栓抜きを備えた別の多重パック構造を提供する本発明の別の実施例33の充填透視図
【図３３Ｂ】固定栓抜き手段を備えた別の多重パック構造を提供する本発明の別の実施例34の充填透視図
【図３３Ｃ】別の取り付け栓抜き手段を備えた別の多重パック構造を提供する本発明の別の実施例35の充填透視図
【図３４Ａ】追加の視区画を備えた図22Aと類似の別の多重パック構造を提供する本発明の別の実施例36の充填透視図
【図３５Ａ】多重パネル構造に基づいて9つの容器配列を有する別の多重パック構造を提供する本発明の別の実施例37の充填透視図
【図３５Ｂ】図35AのXVII-XVIIの線に沿った断面図
【図３６Ａ】弾帯として多重パネル構造を使用する別の多重パック構造を提供する本発明の別の実施例38の充填透視図
【図１Ａ】
2008517735.tif 000003
【図１Ｂ】
2008517735.tif 000004
【図１Ｃ】
2008517735.tif 000005
【図１Ｄ】
2008517735.tif 000006
【図１Ｅ】
2008517735.tif 000007
【図１Ｆ】
2008517735.tif 000008
【図１Ｇ】
2008517735.tif 000009
【図１Ｈ】
2008517735.tif 000010
【図１Ｉ】
2008517735.tif 000011
【図２Ａ】
2008517735.tif 000012
【図２Ｂ】
2008517735.tif 000013
【図２Ｃ】
2008517735.tif 000014
【図２Ｄ】
2008517735.tif 000015
【図２Ｅ】
2008517735.tif 000016
【図３Ａ】
2008517735.tif 000017
【図３Ｂ】
2008517735.tif 000018
【図３Ｃ】
2008517735.tif 000019
【図４Ａ】
2008517735.tif 000020
【図４Ｂ】
2008517735.tif 000021
【図４Ｃ】
2008517735.tif 000022
【図５Ａ】
2008517735.tif 000023
【図５Ｂ】
2008517735.tif 000024
【図５Ｃ】
2008517735.tif 000025
【図５Ｄ】
2008517735.tif 000026
【図５Ｅ】
2008517735.tif 000027
【図６Ａ】
2008517735.tif 000028
【図７Ａ】
2008517735.tif 000029
【図７Ｂ】
2008517735.tif 000030
【図７Ｃ】
2008517735.tif 000031
【図８Ａ】
2008517735.tif 000032
【図８Ｂ】
2008517735.tif 000033
【図８Ｃ】
2008517735.tif 000034
【図９Ａ】
2008517735.tif 000035
【図９Ｂ】
2008517735.tif 000036
【図１０Ａ】
2008517735.tif 000037
【図１０Ｂ】
2008517735.tif 000038
【図１１Ａ】
2008517735.tif 000039
【図１１Ｂ】
2008517735.tif 000040
【図１２Ａ】
2008517735.tif 000041
【図１３Ａ】
2008517735.tif 000042
【図１４Ａ】
2008517735.tif 000043
【図１５Ａ】
2008517735.tif 000044
【図１６Ａ】
2008517735.tif 000045
【図１７Ａ】
2008517735.tif 000046
【図１７Ｂ】
2008517735.tif 000047
【図１７Ｃ】
2008517735.tif 000048
【図１８Ａ】
2008517735.tif 000049
【図１９Ａ】
2008517735.tif 000050
【図２０Ａ】
2008517735.tif 000051
【図２１Ａ】
2008517735.tif 000052
【図２２Ａ】
2008517735.tif 000053
【図２３Ａ】
2008517735.tif 000054
【図２３Ｂ】
2008517735.tif 000055
【図２４Ａ】
2008517735.tif 000056
【図２５Ａ】
2008517735.tif 000057
【図２５Ｂ】
2008517735.tif 000058
【図２６Ａ】
2008517735.tif 000059
【図２６Ｂ】
2008517735.tif 000060
【図２６Ｃ】
2008517735.tif 000061
【図２６Ｄ】
2008517735.tif 000062
【図２６Ｅ】
2008517735.tif 000063
【図２７Ａ】
2008517735.tif 000064
【図２７Ｂ】
2008517735.tif 000065
【図２８Ａ】
2008517735.tif 000066
【図２８Ｂ】
2008517735.tif 000067
【図２８Ｃ】
2008517735.tif 000068
【図２９Ａ】
2008517735.tif 000069
【図３０Ａ】
2008517735.tif 000070
【図３１Ａ】
2008517735.tif 000071
【図３２Ａ】
2008517735.tif 000072
【図３３Ａ】
2008517735.tif 000073
【図３３Ｂ】
2008517735.tif 000074
【図３３Ｃ】
2008517735.tif 000075
【図３４Ａ】
2008517735.tif 000076
【図３５Ａ】
2008517735.tif 000077
【図３５Ｂ】
2008517735.tif 000078
【図３６Ａ】
2008517735.tif 000079
【国際調査報告】
2008517735.tif 000080